(57)【要約】      （修正有）【課題】特にサイズの大きい金型を用いずに、製造コストを抑えることができるケーブル巻取り用ドラムを提供する。【解決手段】ドラム体と、該ドラム体の両端に取り付けられる２つのガード部材と、該２つのガード部材の外周縁に装着される２つの円形カバーと、を有する。その内、該各ガード部材は、複数のガードプレートからなり、該各ガードプレートは、プレートを折り曲げて形成されると共に、扇形板２１を備え、該扇形板２１の両端にそれぞれ係合板が設けられ、該係合板の末端にそれぞれ、対向する湾曲状の強化板が設けられる。さらに、一側の該係合板に係合凸部が設けられ、他側の該係合板に係合凹部が設けられ、その係合凸部と係合凹部とが、互いに係合し合うことによって、それらガードプレートを組み立ててリール状に配置し、内周縁が該ドラム体の外周面に接着することによって、製造コストを抑えることができる。【選択図】図２
0003176823.tif 000002
【実用新案登録請求の範囲】
【請求項１】
ドラム体と、該ドラム体の両端に取り付けられる２つのガード部材と、該２つのガード部材の外周縁に設置される２つの円形カバーとを有し、その内、該各ガード部材は、複数のガードプレートからなり、該各ガードプレートは、プレートを折り曲げて形成されると共に、扇形板を備え、該扇形板の両端にそれぞれ係合板が設けられ、該係合板の末端にそれぞれ、対向する曲折状の強化板が設けられ、
さらに、一側の該係合板に係合凸部が設けられ、他側の該係合板に係合凹部が設けられ、その係合凸部と係合凹部とが、互いに係合し合うことによって、それらガードプレートを組み立ててリール状に配置し、内周縁が該ドラム体の外周面に接着することを特徴とするケーブル巻取り用ドラム。
【請求項２】
前記係合凸部は、係合板の一部が折り曲げられて外部へ突出すると共に、断面が矩形を呈し、前記係合凹部は、係合板の一部が折り曲げられて内部へ凹入し、断面が矩形を呈することを特徴とする請求項１に記載のケーブル巻取り用ドラム。
【請求項３】
前記扇形板の外側面に複数の強化リブが間隔をおいて凸設されることを特徴とする請求項１または２に記載のケーブル巻取り用ドラム。
【考案の詳細な説明】
【技術分野】
【０００１】
本考案は、低コストで製造できるケーブル巻取り用ドラムに関するものである。
【背景技術】
【０００２】
ケーブルとは、ケーブル芯が絶縁性の保護被覆で覆われ、送電や送信することができる線材のことであり、その内、高圧電力用ケーブルは、一般のケーブルより径が大きく重いことから、搬送するのが困難であるので、ケーブル巻取り用ドラムに巻回しなければ搬送することが難しかった。
【０００３】
従来のケーブル巻取り用ドラムは、ドラム本体を有し、該ドラム本体の両端にそれぞれ外径より大きいガード部材が設けられ、該ドラム本体にケーブルを巻回して、両端のガード部材によりケーブルを位置決めるものである。
【考案の概要】
【考案が解決しようとする課題】
【０００４】
従来のケーブル巻取り用ドラムにおいては、大量のケーブルを収納するために、ガード部材をドラム本体の両端に溶接などの手段で結合すると共に、できる限りドラム本体より大径に形成する必要があるが、そのガード部材を製造する時に、サイズの大きいな金型が必要となることから、その金型の製造コストが高くなるので、ケーブル巻取り用ドラムのコストも上昇してしまうといった問題があった。
【課題を解決するための手段】
【０００５】
本考案に係るケーブル巻取り軸は、ドラム体と、該ドラム体の両端に取り付けられる２つのガード部材と、該２つのガード部材の外周縁に設置される２つの円形カバーとを有し、その内、該各ガード部材は、複数のガードプレートからなり、該各ガードプレートは、プレートを折り曲げて形成されると共に、扇形板を備え、該扇形板の両端にそれぞれ係合板が設けられ、該係合板の末端にそれぞれ、対向する曲折状の強化板が設けられ、
さらに、一側の該係合板に係合凸部が設けられ、他側の該係合板に係合凹部が設けられ、その係合凸部と係合凹部とが、互いに係合し合うことによって、それらガードプレートを組み立ててリール状に配置し、内周縁が該ドラム体の外周面に接着するものである。
【０００６】
前記係合凸部は、係合板の一部が折り曲げられて外部へ突出すると共に、断面が矩形を呈し、前記係合凹部は、係合板の一部が折り曲げられて内部へ凹入し、断面が矩形を呈することが好ましい。
【０００７】
前記扇形板の外側面に複数の強化リブが間隔をおいて凸設されてもよい。
【考案の効果】
【０００８】
本考案に係るケーブル巻取り用ドラムは上記の如く、複数のサイズの小さなガードプレートを組み立てれば、ドラム体の両端にガード部材を形成できることから、従来のようなサイズの大きいな金型が不要であるので、製造コストを抑えることができ、また、ガード部材の強化リブが扇形板の外側面に凸設されることから、板体の強度を向上できるので、内側のケーブルの破損を防ぐことができる。
【図面の簡単な説明】
【０００９】
【図１】本考案に係るケーブル巻取り用ドラムの斜視図である。
【図２】本考案に係るケーブル巻取り用ドラムの部分分解斜視図である。
【図３】本考案に係るケーブル巻取り用ドラムにおけるガードプレートの拡大斜視図である。
【図４】本考案に係るケーブル巻取り用ドラムにおける複数のガードプレートを組み立てた状態を示す側視図である。
【図５】本考案に係るケーブル巻取り用ドラムの他の実施例において複数のガードプレートを組み立てた状態を示す側視図である。
【図６】本考案に係るケーブル巻取り用ドラムにおいてケーブルを巻回した状態を示す斜視図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１及び図２に示すように、本考案に係るケーブル巻取り用ドラムは、ドラム体１０と、２つのガード部材と、２つの円形カバー３０とを有し、その内、該ドラム体１０は、円柱状の管体であり、該各ガード部材は複数のガードプレート２０からなり、それぞれドラム体１０の両端に取り付けられる。
【００１２】
図３及び図４に示すように、前記各ガードプレート２０は、扇形のプレートを折り曲げて形成されると共に、扇形板２１を備え、該扇形板２１の外側面に複数の強化リブ２１１が間隔をおいて凸設され、該扇形板２１の両側にそれぞれ凹凸状の係合板２２が設けられ、一側の該係合板２２に係合凸部２２１が設けられ、他側の該係合板２２に係合凹部２２２が設けられ、その係合凸部２２１と係合凹部２２２とが互いに係合し合う構造であり、さらに、該係合板２２の末端にそれぞれ、対向する曲折状の強化板２３が設けられる。
【００１３】
前記複数のガードプレート２０、２０’を組み立てて環状のガード部材を構成させる時は、それらガードプレート２０、２０’の内周縁をドラム体１０の外周面に接着すると共に、扇形板２１の一側の係合凸部２２１と、隣接する扇形板２１の他側の係合凹部２２２’とを係合することによって、隣り合う２つの係合板２２、２２’を組み合わる。
【００１４】
また、図４における実施例においては、前記係合凸部２２１を、係合板２２の一部を折り曲げて外側へ突設すると共に、その断面を矩形とすることが好ましく、一方、前記係合凹部２２２は、係合板２２の一部を折り曲げて内側へ凹入し、断面が矩形とすることが好ましく、また、図５における実施例においては、前記係合凸部２２１Ａを、ダブテールの形状を呈するように突設すると共に、前記係合凹部２２２Ａを、ダブテールの形状を呈するように凹設することにより、それら係合凸部２２１Ａと係合凹部２２２Ａとを互いに係合できる蟻継ぎとしてもよい。
【００１５】
図１に示すように、前記円形カバー３０はそれぞれ、ガード部材の外周縁に装着される。また、図６に示すように、考案に係るケーブル巻取り用ドラムを使用する時は、ケーブル４０をドラム体１０に巻き付けると、両側のガード部材に位置決められ、更に、ガードプレート２０の強化リブ２１１が扇形板２１の外側面から外側へ突出しているので、ガードプレート２０の強度を増加させると共に、ドラム体１０に巻き付けられたケーブル４０の破損を防止することができる。
【００１６】
尚、前記ドラム体１０と止めガードプレート２０、複数のガードプレート２０、ガードプレート２０と円形カバー３０はそれぞれ、溶接手段や螺合手段などで結合することが好ましい。
【産業上の利用可能性】
【００１７】
本考案に係るケーブル巻取り用ドラムは上記の構成を有し、ガード部材が複数のガードプレートを組み合わせてなるものであることから、製造するための金型が小さくて済むので、製造コストを抑えることができる。
【符号の説明】
【００１８】
１０                      ドラム体
２０                      ガードプレート
２１                      扇形板
２１１                強化リブ
２２、２２’        係合板
２２１、２２１Ａ係合凸部
２２２、２２２Ａ、２２２’係合凹部
２３                      強化板
３０                      円形カバー
４０                      ケーブル
【図１】
0003176823.tif 000003
【図２】
0003176823.tif 000004
【図３】
0003176823.tif 000005
【図４】
0003176823.tif 000006
【図５】
0003176823.tif 000007
【図６】
0003176823.tif 000008